(57)【要約】【課題】オプション部材の向きを簡単に変更しうるようにし、その使い勝手を向上させうるようにした取付装置を提供する。【解決手段】天板１に取付けた支持台３０の上面に、側面視において下方に凹入する円弧状断面の受け面４２を設け、この受け面４２に、オプション部材Ａ取付用の取付部材３２における前記受け面４２と補形をなす側面視円弧状の下面を、円弧面に沿って回動しうるように嵌合し、支持台３０に、取付部材３２が受け面４２から上方に外れるのを阻止する外れ止め手段４７、５２と、取付部材３２を、受け面４２の曲率中心を中心とする複数の回動位置において係止する係止手段４４、４５、４９とを設ける。【選択図】  図４
2010160903.tif 000002
【特許請求の範囲】
【請求項１】
天板に取付けた支持台の上面に、側面視において下方に凹入または上方に凸状に突出する円弧状断面の受け面を設け、この受け面に、オプション部材取付用の取付部材における前記受け面と補形をなす側面視円弧状の下面を、円弧面に沿って回動しうるように嵌合し、前記支持台に、前記取付部材が受け面から上方に外れるのを阻止する外れ止め手段と、前記取付部材を、受け面の曲率中心を中心とする複数の回動位置において係止する係止手段とを設けたことを特徴とする天板へのオプション部材の取付装置。
【請求項２】
外れ止め手段を、支持台の両側部に上向き突設した左右１対の起立片の内側面と、それに対向する取付部材の外側面における円弧状の下面の曲率中心部とのいずれか一方に突設した突軸と、同じく他方に設けられ、前記突軸が回動可能に嵌合する軸孔とを備えるものとした請求項１記載の天板へのオプション部材の取付装置。
【請求項３】
起立片を、側方に弾性変形しうるようにしてなる請求項２記載の天板へのオプション部材の取付装置。
【請求項４】
係止手段を、支持台における受け面の形成部の一部を、後端部を中心として上下方向に弾性変形しうるように切除することにより設けられ、かつ前端部に下向きに押動操作可能な操作部を有する可動片と、この可動片と取付部材との対向部のいずれか一方に設けられた前後複数の係合孔と、同じく他方に設けられ、前記複数の係合孔に選択的に係合可能な突部とを備えるものとした請求項１〜３のいずれかに記載の天板へのオプション部材の取付装置。
【請求項５】
係合孔及び突部を、左右方向に長いものとした請求項４記載の天板へのオプション部材の取付装置。
【請求項６】
取付部材に、オプション部材の下面に設けた複数の係合孔に下方より着脱可能に嵌合して係合される係合突部を設けてなる請求項１〜５のいずれかに記載の天板へのオプション部材の取付装置。
【請求項７】
支持台に、天板の下面に当接する下部クランプと、この下部クランプを支持台の下面に向かって引き寄せる締付手段とを設けてなる請求項１〜６のいずれかに記載の天板へのオプション部材の取付装置。
【請求項８】
オプション部材を、電源用コンセント、ネットワーク通信用の情報コンセント、パソコン周辺機器接続用の機器接続用コンセント、映像用コンセント等の少なくともいずれか一つを備えるコンセントボックスとしてなる請求項１〜７のいずれかに記載の天板へのオプション部材の取付装置。
【発明の詳細な説明】
【技術分野】
【０００１】
本発明は、机やテーブル等の天板に、例えばコンセントボックス等のオプション部材を取付けるための取付装置に関する。
【背景技術】
【０００２】
コンセントボックス等のオプション部材を天板の上面に取付ける際には、例えば特許文献１に記載されているように、天板の端縁部における下面とコンセントボックスの底板とを上下より挟持する挟持手段が用いられるのが一般的である。
【特許文献１】特開２００８−８４５５８号公報(図２、図３等)
【発明の開示】
【発明が解決しようとする課題】
【０００３】
上記特許文献に記載されている挟持手段を用いてコンセントボックスを取付けると、コンセントボックスが、天板の上面に固定されてしまうため、コンセントボックスに設けた電源用コンセント、情報コンセント及び映像用コンセント等の向きを変更することができず、それらの差し込み口も一定方向を向くこととなる。
そのため、各種コンセントに接続されるケーブルの配線形態等を、天板に載置されたＯＡ機器等の位置や大きさ、あるいは天板面の使用状況などに対応して、最適に変更することができず、使い勝手が悪いという問題がある。
【０００４】
本発明は、上記問題点に鑑みてなされたもので、オプション部材の向きを簡単に変更しうるようにし、その使い勝手を向上させうるようにした、天板へのオプション部材の取付装置を提供することを目的としている。
【課題を解決するための手段】
【０００５】
本発明によると、上記課題は、次の各項のようにして解決される。
（１）天板に取付けた支持台の上面に、側面視において下方に凹入または上方に凸状に突出する円弧状断面の受け面を設け、この受け面に、オプション部材取付用の取付部材における前記受け面と補形をなす側面視円弧状の下面を、円弧面に沿って回動しうるように嵌合し、前記支持台に、前記取付部材が受け面から上方に外れるのを阻止する外れ止め手段と、前記取付部材を、受け面の曲率中心を中心とする複数の回動位置において係止する係止手段とを設ける。
【０００６】
このような構成とすると、オプション部材取付用の取付部材を、天板に取付けた支持台により、回動可能、かつ複数の回動位置に係止させうるように設けてあるので、オプション部材の天板に対する向きを変更することができ、オプション部材の使い勝手が向上する。
また、支持台の上面の受け面、及びそれに嵌合される取付部材の下面を、互いに補形をなす円弧状断面としてあるので、オプション部材の荷重を面で支えることができるとともに、支持台により、オプション部材を安定よく支持することができる。
【０００７】
（２）上記(１)項において、外れ止め手段を、支持台の両側部に上向き突設した左右１対の起立片の内側面と、それに対向する取付部材の外側面における円弧状の下面の曲率中心部とのいずれか一方に突設した突軸と、同じく他方に設けられ、前記突軸が回動可能に嵌合する軸孔とを備えるものとする。
【０００８】
このような構成とすると、簡単な手段で、支持台の上面により、取付部材を、脱落を防止しながら、円滑に回動しうるように支持することができる。
【０００９】
（３）上記(２)項において、起立片を、側方に弾性変形しうるようにする。
【００１０】
このような構成とすると、起立片を側方に弾性変形することにより、突軸を、それと対向する軸孔に側方より容易に嵌合することができる。
【００１１】
（４）上記(１)〜(３)項のいずれかにおいて、係止手段を、支持台における受け面の形成部の一部を、後端部を中心として上下方向に弾性変形しうるように切除することにより設けられ、かつ前端部に下向きに押動操作可能な操作部を有する可動片と、この可動片と取付部材との対向部のいずれか一方に設けられた前後複数の係合孔と、同じく他方に設けられ、前記複数の係合孔に選択的に係合可能な突部とを備えるものとする。
【００１２】
このような構成とすると、支持台に一体的に設けた可動片を、その前端部の操作部を押動して下方に弾性変形させることにより、係合孔より突部を離脱させて、別の係合孔に選択的に係合させうるので、オプション部材の位置変更が容易となる。
【００１３】
（５）上記(４)項において、係合孔及び突部を、左右方向に長いものとする。
【００１４】
このような構成とすると、係合孔と突部との係合領域が左右方向に長くなるので、それらの係合が外れて、取付部材が妄りに回動することはなく、かつ取付部材に取付けたオプション部材を、所定の回動位置に安定よく係止させることができる。
【００１５】
（６）上記(１)〜(５)項のいずれかにおいて、取付部材に、オプション部材の下面に設けた複数の係合孔に下方より着脱可能に嵌合して係合される係合突部を設ける。
【００１６】
このような構成とすると、取付部材に、オプション部材を、着脱可能として簡単に取り付けることができる
【００１７】
（７）上記(１)〜(６)項のいずれかにおいて、支持台に、天板の下面に当接する下部クランプと、この下部クランプを支持台の下面に向かって引き寄せる締付手段とを設ける。
【００１８】
このような構成とすると、支持台を、天板に何らの加工等を施すことなく、着脱可能に簡単に取り付けることができる。
【００１９】
（８）上記(１)〜(７)項のいずれかにおいて、オプション部材を、電源用コンセント、ネットワーク通信用の情報コンセント、パソコン周辺機器接続用の機器接続用コンセント、映像用コンセント等の少なくともいずれか一つを備えるコンセントボックスとする。
【００２０】
このような構成とすると、コンセントボックスに設けた各種のコンセントの向きを、天板に載置されたＯＡ機器等の位置や大きさ、あるいは天板面の使用状況などに対応して変更することができるので、各種のコンセントに接続されるＯＡ機器等のケーブルの配線形態を、最適なものとすることができ、コンセントボックスの使い勝手が向上する
【発明の効果】
【００２１】
本発明によれば、オプション部材取付用の取付部材を、天板に取付けた支持台により、回動可能、かつ複数の回動位置に係止させうるように設けてあるので、オプション部材の天板に対する向きを変更することができ、オプション部材の使い勝手が向上する。
また、支持台の上面の受け面、及びそれに嵌合される取付部材の下面を、互いに補形をなす円弧状断面としてあるので、オプション部材の荷重を面で支えることができるとともに、支持台により、オプション部材を安定よく支持することができる。
【発明を実施するための最良の形態】
【００２２】
以下、本発明の実施形態を、図面に基づいて説明する。
図１は、オプション部材であるコンセントボックスＡを、本発明の取付装置Ｂにより机等の天板１に取付けた状態を、斜め前方より見た斜視図、図２は、同じく斜め後方より見た斜視図、図３は、コンセントボックスＡと取付装置Ｂとの分解斜視図である。
【００２３】
コンセントボックスＡは、前面を左右方向に長く開口したコンセントボックス本体２と、この中に収容された複数(実施形態では６個)のコンセントユニット３と、互いに隣り合うコンセントユニット３の間において開口を閉塞する複数の塞ぎ板４とを備えている。
【００２４】
各コンセントユニット３は、左右複数(６個)のコンセントホルダ５のそれぞれに、電源用コンセント６、ネットワーク通信用の情報コンセント７、及びパソコン周辺機器等を接続する機器接続用コンセント８を取付けたものよりなり(図３は、各コンセントを省略して示す)、電源用のコンセントユニット３のみが、塞ぎ板４を挟んで左右２個ずつ設けられている。なお、情報コンセント７には、例えばＬＡＮ用コネクタ等が、また、機器接続用コンセント７には、ＵＳＢコネクタ等が、それぞれ用いられる。
【００２５】
各コンセントホルダ５は、それぞれ、電源用コンセント６、情報コンセント７、及び機器接続用コンセント８を保持する、それに適した形状の保持部５aと、その前端に連設された方形の前面板５bとからなり、各コンセントホルダ５の保持部５aと前面板５bの上下寸法と左右寸法は、等しく設定されている。各コンセント６、７、８の前端部は、前面板５bの中央部に穿設された大きさの異なる嵌合孔９に、互いの前面が同一面に整合するように嵌合されている
【００２６】
縦断側面図である図４及び図５にも示すように、コンセントボックス本体２は、後端縁に下向片１０aを有する合成樹脂製の上面板１０と、この上面板１０と同じ大きさの、後端縁に上向片１１aを有する合成樹脂製の底面板１１と、前端が若干内向きに折曲された合成樹脂製の左右の側面板１２、１２とからなっている。
【００２７】
上面板１０の下面の前後部には、下向片１０aの長さとほぼ等しい突出寸法の下向突部１３が、左右方向に等間隔おきに複数突設され、また、底面板１１の上面における上記各下向突部１３と対向する位置には、上向片１１aの長さとほぼ等しい長さの上向突部１４が突設されている。各下向突部１３には、後記する止めねじ２４を螺挿するための下方に開口する螺挿孔１５が、また各上向突部１４には、同じく止めねじ２４を下方より挿入可能な挿入孔１６が、それぞれ設けられている。
【００２８】
上面板１０の周縁部の下面と下向片１０aの両側縁部の前面、及び底面板１１の周縁部の上面と上向片１１aの両側縁部の前面には、それぞれ凹溝１７、１７が連続して形成されている。
また、底面板１１の上面には、上記各コンセントホルダ５における保持部５aを、左右方向に位置決めして載置するための前後方向を向く複数の突条１８が、左右方向に等間隔をもって突設されている(図３参照)。なお、この突条１８を、上面板１０側の下面に設けてもよく、また、上面板１０と底面板１１との両方に設けてもよい。
【００２９】
塞ぎ板４、各コンセントホルダ５における前面板５bの上下両端、及び左右の側面板１２の上下両端と後端には、それぞれ、上面板１０と底面板１１の凹溝１７、１７に嵌合可能な嵌合片１９が突設されている。
また、各コンセントホルダ５における嵌合片１９より前方の前面板５bの上下両端には、左右方向を向く凹溝２０、２０が形成され、この両凹溝２０、２０には、各コンセント５、６、７の不使用時において、その前面を覆うカバー２１の上下両端のＬ字状の対向片２１a、２１aが、左右方向にスライド可能に嵌合されるようになっている。
【００３０】
さらに、図６の横断平面図に示すように、塞ぎ板４の両側端と、各コンセントホルダ５における前面板５bの両側端とには、それぞれ、互いに嵌合し合う上下方向を向く凹溝２２と嵌合片２３とが設けられている。
【００３１】
次に、コンセントボックスＡの組立て要領について説明する。
まず、複数のコンセントユニット３におけるコンセントホルダ５の保持部５aを、底面板１１の上面に設けた左右複数の突条１８、１８間に位置させ、各コンセントユニット３を、左右方向に位置決めして底面板１１の上面に載置する。
【００３２】
ついで、底面板１１に、上面板１０を、それらの周縁部に形成した凹溝１７、１７に、塞ぎ板４、各コンセントホルダ５の前面板５b、及び左右の側面板１２、１２の上下両端に設けた嵌合片１９、１９を嵌合するようにして被せ、上面板１０と底面板１１とにより、塞ぎ材４とコンセントユニット３と側面板１２とを仮挟持する。この際、互いに隣接する塞ぎ板４と各コンセントホルダ５の前面板５bとの対向面の凹溝２２と嵌合片２３同士を、側方より嵌合することにより、それらの対向面間に隙間が形成されたり、前後に位置ずれしたりするのを防止することができ、かつ塞ぎ板４の前面と、各コンセントホルダ５における前面板５bの前面とを、同一面に整合させることができる。
【００３３】
ついで、底面板１１の複数の上向突部１４の挿入孔１６に挿入した止めねじ２４を、上面板１０における各下向突部１３の螺挿孔１５にねじ込む。これにより、上面板１０と底面板１１により、各コンセントユニット３が強固に挟持されたコンセントボックスＡが組立てられる。なお、図２に示すように、各コンセントユニット３の接続ケーブル２５は、上面板１０の下向片１０aと、底面板１１の上向片１１aとの対向面に設けた切欠き２６を介して、外部に配線することができる。
【００３４】
上記構成のコンセントボックスＡにおいては、上下及び左右寸法の等しい複数のコンセントホルダ５の前面板５bに設けた嵌合孔９に、各コンセントユニット３におけるコンセント６、７、８の前端部を嵌合し、前面板５bがコンセントボックス本体２の前面の開口面に位置するようにして、各コンセントユニット３を、コンセントボックス本体２における上面板１０と底面板１１とにより挟持して取付けているので、コンセントボックス本体２に、各種のコンセントユニット３を取付けるための専用の取付口を設けたり、ねじ等の固定手段を用いたりする必要はない。
【００３５】
従って、上面板１０を取外すだけで、各コンセントユニット３の左右位置や数量を容易に変更することができ、コンセントボックスＡ自体を交換したり、各種のコンセントを別のコンセントボックス本体２に付け替えたりする必要はない。
【００３６】
また、各コンセントユニット３のコンセントホルダ５の左右寸法を等しくして、これらを、底面板１１の上面に設けた複数の突条１８、１８間に位置決めして載置しうるようにしてあるので、各コンセントユニット３が左右方向に位置ずれする恐れはなく、かつ左右位置や数量の変更も容易となる。
【００３７】
なお、上記コンセントボックスＡにおいては、複数のコンセントユニット３が、電源用コンセント６と、ネットワーク通信用の情報コンセント７と、パソコン周辺機器接続用の機器接続用コンセント８とからなるものとしたが、図１の２点鎖線で示すように、例えば１５ピンコネクタ等、パソコンのディスプレイ用ケーブルを接続するための映像用コンセント２７を有するコンセントユニットを付加してもよい。
【００３８】
また、各コンセントユニット３は、各コンセントホルダ５に、各種のコンセント６、７、８を取付けたものとしてあるが、コンセントホルダ５の左右寸法を大として、これに、上記各種のコンセント６、７、８、２７のいずれかを複数、または組み合わせて取付けたコンセントユニットとしてもよい。
【００３９】
次に、上記コンセントボックスＡの取付装置Ｂについて説明する。
図１〜図５に示すように、取付装置Ｂは、天板１の端縁部を上下より挟持する支持台３０及び下部クランプ３１と、支持台３０の上面に取付けられたコンセントボックスＡ取付用の取付部材３２とを備えている。
【００４０】
下部クランプ３１は、側面視前向きコ字状をなす左右１対のクランプ金具３３、３３と、天板１の下面を押圧可能な、両側端部に後方に開口する上下２個の嵌合孔３４、３４を有する合成樹脂製のクランプ板３５とからなり、両クランプ金具３３における下部の前向片３３aを、下側の嵌合孔３４に嵌合することにより、下部クランプ３１が構成されている。なお、天板１の厚さが大きいときには、上側の嵌合孔３４に下部の前向片３３aを嵌合して使用される。
【００４１】
支持台３０は、左右寸法が下部クランプ３１のそれよりも長寸となるように、合成樹脂により一体成形され、左右の側端部に形成された上向膨出部３６、３６の下方には、図５に示すように、左右のクランプ金具３３における上部の前向片３３bが下方より挿入される凹部３７が形成されている。
【００４２】
両上向膨出部３６の平坦をなす上面には、複数のリブ３８により補強された円筒軸３９、３９が突設され、これらの円筒軸３９に上方より挿通した左右２個の取付けねじ４０、４０を、上部の前向片３３bの先端部に穿設しためねじ孔４１に螺合させて締め込むことにより、天板１が支持台３０と下部クランプ３１により挟持されるようになっている(図５参照)。
【００４３】
支持台３０の中央部と上向膨出部３６より外方の両側端部は、上面に側面視円弧状断面の受け面４２、４２が形成されるように、凹曲面状に湾曲されている。支持台３０の中央部には、上記中央部の受け面４２の後端部から前端部に向かって、平面視後向きコ字状のスリット４３を形成することにより、後端部を中心として上下方向に弾性変形しうる可動片４４が連設されている。この可動片４４の中央部の上面には、左右方向を向く係止突条４５が突設されている。
可動片４４の前端部は、これを下向きに押動操作しうる上向きの操作部４４aとなっている(図３、図４参照)。
【００４４】
上記左右両端部の受け面４２、４２には、側方に弾性変形可能な起立片４６、４６が立設され、これらの上端部の対向面には、左右方向を向く短寸の突軸４７、４７が内向きに突設されている。なお、両突軸４７と、これが嵌合する後記の係止溝５２の中心は、取付部材３２が、支持台３０の受け面４２の曲率中心を中心として回動しうるように、その曲率中心とほぼ整合する位置に設けてある。
【００４５】
取付部材３２は、支持台３０の左右寸法とほぼ等寸をなし、中央部と両側端部とには、支持台３０の中央部と両側端部の受け面４２、４２に回動可能に嵌合される、下面が受け面４２と補形をなす等しい曲率とされた下向きの凸曲面部４８、４８が形成されている。
【００４６】
図４に示すように、中央部の凸曲面部４８の底部には、支持台３０における可動片４４の係止突条４５が選択的に係合可能な左右方向を向く前後２つの係合孔４９、４９が、互いに平行に穿設されている。
また、両側端部の凸曲面部４８の下面には、図３に示すように、支持台３０の起立片４６が挿通可能な、この起立片４６の下部の前後寸法よりも大きい前後寸法の挿通孔５０(左方のものは図示略)が穿設されている。
【００４７】
図３及び図４に示すように、上記左右の挿通孔５０と近接する取付部材３２の両側部の上面には、前後方向を向く起立片５１、５１が突設され、両起立片５１の上端の前後方向を向く中央部には、上記左右の起立片４６の突軸４７が嵌合する半円状の係止溝５２、５２が設けられている。なお、係止溝５２に替えて、突軸４７が回動可能に嵌合可能な軸孔としてもよい。
【００４８】
支持台３０の各受け面４２により、取付部材３２の各凸曲面部４８の下面を支持し、取付部材３２の左右の挿通孔５０に挿入した起立片４６、４６の突軸４７を、取付部材３２の左右の起立片５１、５１の係止溝５２に嵌合することにより、支持台３０と取付部材３２とが連結され、かつ取付部材３２は、突軸４７を中心として、受け面４２に沿って上下方向に回動することができる。
また、支持台３０における可動片４４の係止突条４５を、操作部４４aを押動操作して、取付部材３２に設けた前後の係合孔４９に選択的に係合させることにより、取付部材３２を、その上面がほぼ水平をなす位置と、同じく前上方に向かって傾斜する傾斜位置との２位置で停止保持することができる(図４、図８参照)。
【００４９】
図３及び図５に示すように、取付部材３２の前端部の両側端部には、前部側が前後方向に弾性変形可能な下向操作片５３aとなっている側面視概ね下向Ｕ字状の左右１対の係合突部５３、５３が、上向きに突設されている。
また、取付部材３２の後端上部の中央部には、係合突部である後向き倒立Ｌ字状をなす左右１対の係合片５４、５４が設けられている。５５、５５は、左右の取付けねじ４０の頭部を遊通するためと、取付けねじ４０の回動操作を容易とするための通孔である。
【００５０】
取付部材３２にコンセントボックスＡを取付けるには、コンセントボックス本体２における底面板１１の後端部の中央部に穿設された係合孔５６、５６に、取付部材３２の左右の係合片５４、５４を嵌合して、それらの上端部を、係合孔５６の後上部の開口縁に係止させる。
【００５１】
ついで、取付部材３２における前側の係合突部５３、５３を、底面板１１の前端部に穿設された方形をなす左右１対の係合孔５７、５７に嵌合し、下向操作片５３aの前面下部に形成された左右方向を向く係合溝５８を、係合孔５７の前部側の開口縁に弾性係合させる。これにより、取付部材３２の上面に、コンセントボックスＡが着脱可能に取付けられる。なお、底面板１１には、取付けねじ４０の頭部が干渉しないように、通孔５９、５９が穿設されている。
【００５２】
コンセントボックスＡを取付けた取付装置Ｂを、天板１の後端部に固定したのち、上述したように、支持台３０における可動片４４の係止突条４５を、操作部４４aを押動操作して、取付部材３２に設けた前後の係合孔４９に選択的に係合させると、コンセントボックスＡを、図１に示す水平位置と、図７に示す斜め前上方を向く傾斜位置との２位置に、向きを変更することができる。
従って、各種コンセント６、７、８における差し込み口の上下位置が変更可能となり、それらに接続されるケーブルの配線形態を、天板１に載置されるＯＡ機器等の位置や大きさ、あるいは、天板１の使用状況等に対応して、最適に変更することができる。
【００５３】
本発明は、上記実施形態に限定されるものではない。
上記実施形態の取付装置Ｂにおいては、取付部材３２に、係合孔４９を２個設けたものとしてあるが、これを２個以上設けてもよく、このようにすれば、コンセントボックスＡの位置を、２位置以上に変更することができる。
また、上記実施形態とは反対に、係合孔４９を支持台３０側に、係止突条４５を取付部材３２側に、それぞれ設けてもよい。
【００５４】
さらに、上記実施形態では、支持台３０の受け面４２を、下方に凹入する凹曲面状とし、かつ取付部材３２の下面を、受け面４２と補形をなす下向きの突曲面状としてあるが、それらを、逆向きの円弧状断面とすることもある。
【図面の簡単な説明】
【００５５】
【図１】本発明の取付装置により、コンセントボックスを天板に取付けた状態を、斜め前方より見た斜視図である。
【図２】同じく、斜め後方より見た斜視図である。
【図３】コンセントボックス、及びその取付装置の分解斜視図である。
【図４】図１のIV-IV線拡大縦断側面図である。
【図５】図２のV-V線拡大縦断側面図である。
【図６】図１のVI-VI線拡大横断平面図である。
【図７】コンセントボックスの上下位置を変更した状態を、斜め前方より見た斜視図である。
【図８】図７のVIII-VIII線拡大縦断側面図である。
【符号の説明】
【００５６】
１  天板
２  コンセントボックス本体
３  コンセントユニット
４  塞ぎ板
５  コンセントホルダ
５a 保持部
５b 前面板
６  電源用コンセント
７  情報コンセント
８  機器接続用コンセント
９  嵌合孔
１０  上面板
１０a 下向片
１１  底面板
１１a 上向片
１２  側面板
１３  下向突部
１４  上向突部
１５  螺挿孔
１６  挿入孔
１７  凹溝
１８  突条
１９  嵌合片
２０  凹溝
２１  カバー
２１a 対向片
２２  凹溝
２３  嵌合片
２４  止めねじ
２５  接続ケーブル
２６  切欠き
２７  映像用コンセント
３０  支持台
３１  下部クランプ
３２  取付部材
３３  クランプ金具
３３a 前向片
３３b 前向片
３４  嵌合孔
３５  クランプ板
３６  上向膨出部
３７  凹部
３８  リブ
３９  円筒軸
４０  取付けねじ(締付手段)
４１  めねじ孔
４２  受け面
４３  スリット
４４  可動片
４４a 操作部
４５  係止突条
４６  起立片
４７  突軸
４８  突曲面部
４９  係合孔
５０  挿通孔
５１  起立片
５２  係止溝
５３  係合突部
５３a 下向操作片
５４  係合片
５５  通孔
５６  係合孔
５７  係合孔
５８  係合溝
５９  通孔
Ａ  コンセントボックス
Ｂ  取付装置
【図１】
2010160903.tif 000003
【図２】
2010160903.tif 000004
【図３】
2010160903.tif 000005
【図４】
2010160903.tif 000006
【図５】
2010160903.tif 000007
【図６】
2010160903.tif 000008
【図７】
2010160903.tif 000009
【図８】
2010160903.tif 000010